(57)【要約】【課題】  遊技者が自己の技量をもって入賞装置の可動部材の可動に寄与することができ、遊技球の入賞を左右させることが可能な遊技機の入賞装置の提供を課題とする。【解決手段】  遊技盤面上に設けられ、流下してくる遊技球を受け入れて入賞検出手段へ導くことで入賞を検出させるようにした遊技機の入賞装置５であって、流下してくる遊技球を受け入れて入賞検出手段へ導くための１乃至複数の開口５１２、５２２と、該開口の少なくとも１つに対して設備される開閉部材５３と、該開閉部材５３を開口の閉止状態若しくは開放状態に付勢する付勢手段５５と、流下してくる遊技球の衝突を受けることで開閉部材５３を付勢手段５５に抗して一時的に揺動させる衝突受動部材５４とを有し、衝突受動部材５４による開閉部材５３の揺動によって開口を一時的に閉止状態から開放状態へ若しくは開放状態から閉止状態へ移行させるように構成した。【選択図】        図３
2006006624.tif 000002
【特許請求の範囲】
【請求項１】
遊技盤面上に設けられ、遊技領域を流下してくる遊技球を受け入れて入賞検出手段へ導くことで入賞を検出させるようにした遊技機の入賞装置であって、
流下してくる遊技球を受け入れて入賞検出手段へ導くための１乃至複数の開口と、該開口の少なくとも１つに対して設備される開閉部材と、該開閉部材を開口の閉止状態若しくは開放状態に付勢する付勢手段と、遊技盤面上を流下してくる遊技球の衝突を受けることで前記開閉部材を前記付勢手段に抗して一時的に揺動させる衝突受動部材とを有し、該衝突受動部材による前記開閉部材の揺動によって前記開口を一時的に閉止状態から開放状態へ若しくは開放状態から閉止状態へ移行させるように構成したことを特徴とする遊技機の入賞装置。
【請求項２】
開閉部材と衝突受動部材とは枢軸部を中心に構成され、衝突受動部材が遊技球の衝突を受けることによって開閉部材が枢軸部を中心に揺動することで、開口を一時的に開放若しくは閉止するように構成したことを特徴とする請求項１に記載の遊技機の入賞装置。
【請求項３】
開閉部材は、開放状態において、開口の近くを流下してきた遊技球を受け取って開口内に導く受球ガイドとなることを特徴とする請求項１又は２に記載の遊技機の入賞装置。
【請求項４】
開口は遊技球を入賞装置内に受け入れる球受入開口と入賞装置内に受け入れた遊技球を入賞検出手段へ導くための球排出開口とからなり、開閉部材は球排出開口に設備され、遊技球の衝突受動部材への衝突により開閉部材が揺動して球排出開口を一時的に開放するように構成したことを特徴とする請求項１〜３の何れかに記載の遊技機の入賞装置。
【請求項５】
開閉部材が球排出開口を閉止している状態においては、球受入開口から入賞装置内に入った遊技球は入賞装置を通過して入賞を逃すと共に、その通過の際に衝突受動部材に衝突して球排出開口を一時的に開放するように構成したことを特徴とする請求項４に記載の遊技機の入賞装置。
【発明の詳細な説明】
【技術分野】
【０００１】
本発明は遊技機の入賞装置に関する。
【背景技術】
【０００２】
従来、パチンコ遊技機等の遊技機においては、その遊技盤の遊技領域において、パチンコ球等の遊技球が入賞し易い状態と入賞し難い状態とに状態を変更することができる可変入賞装置が配設されたものがある。
前記可変入賞装置の大部分は、電気的駆動源を用いた作動により、入賞装置の可動翼片を動かして、開放位置と閉止位置とに変換するものである。
また例えば特開平５−１６８７４７号公報に開示されている入賞装置のように、入賞を果たした遊技球がチューリップ等と称される可動片の間を通過する際に、その入賞した遊技球により可動片を起立又は傾動させるようにした入賞装置が提供されている。
一方、本出願人が提供した特開２００２−１７７４９６号公報に係る入賞装置においては、入賞した遊技球を振り分ける手段として揺動する振り分け部材を用い、この振り分け部材の揺動を入賞装置の外を流下する遊技球との衝突により行わせて、前記入賞球の振り分けを行うようにしたものが提供されている。
【特許文献１】特開平５−１６８７４７号公報
【特許文献２】特開２００２−１７７４９６号公報
【発明の開示】
【発明が解決しようとする課題】
【０００３】
ところが上記電気的駆動源を用いて入賞装置の可動片を動かすものは、あくまで電気的に一律に動作させるものであり、そこに遊技者の意思や技量などが入る余地がないものである。
また上記特開平５−１６８７４７号公報にかかる入賞装置は、既に入賞を果たした遊技球によって可動片が一定の手順で自動的に可動されるものであり、そこにも遊技者の意思や技量の入る余地が全くないのである。
このように従来における入賞装置においては、遊技球の入賞口等への入り易さを変更する役割を果たす可動片は、何れも遊技者とは無関係に一定の条件の成立により自動的に動くように構成されており、例え技量に優れた遊技者であっても、遊技球の流下を利用して可動片の動きを遊技者が制御することができないものであった。
更に上記特開２００２−１７７４９６号公報にかかる入賞装置は、遊技球によって揺動される揺動片を用いたものではあるが、その基本的な技術思想は、既に入賞を果たした遊技球を揺動片の揺動によって振り分けするのに止まり、遊技球の入賞口等への入り易さ、そのものに対する難容を変更するものではなかった。
【０００４】
そこで本発明は上記従来の遊技機の入賞装置における問題を解消し、遊技者が自己の技量をもって遊技球の流下を制御することで、入賞装置の可動部材の可動に寄与することができ、またそれによって遊技球の入賞し易さを左右させることが可能な遊技機の入賞装置の提供を課題とする。
【課題を解決するための手段】
【０００５】
上記課題を達成するため、本発明の遊技機の入賞装置は、遊技盤面上に設けられ、遊技領域を流下してくる遊技球を受け入れて入賞検出手段へ導くことで入賞を検出させるようにした遊技機の入賞装置であって、流下してくる遊技球を受け入れて入賞検出手段へ導くための１乃至複数の開口と、該開口の少なくとも１つに対して設備される開閉部材と、該開閉部材を開口の閉止状態若しくは開放状態に付勢する付勢手段と、遊技盤面上を流下してくる遊技球の衝突を受けることで前記開閉部材を前記付勢手段に抗して一時的に揺動させる衝突受動部材とを有し、該衝突受動部材による前記開閉部材の揺動によって前記開口を一時的に閉止状態から開放状態へ若しくは開放状態から閉止状態へ移行させるように構成したことを第１の特徴としている。
また本発明の遊技機の入賞装置は、上記第１の特徴に加えて、開閉部材と衝突受動部材とは枢軸部を中心に構成され、衝突受動部材が遊技球の衝突を受けることによって開閉部材が枢軸部を中心に揺動することで、開口を一時的に開放若しくは閉止するように構成したことを第２の特徴としている。
また本発明の遊技機の入賞装置は、上記第１又は第２の特徴に加えて、開閉部材は、開放状態において、開口の近くを流下してきた遊技球を受け取って開口内に導く受球ガイドとなることを第３の特徴としている。
また本発明の遊技機の入賞装置は、上記第１〜第３の何れかの特徴に加えて、開口は遊技球を入賞装置内に受け入れる球受入開口と入賞装置内に受け入れた遊技球を入賞検出手段へ導くための球排出開口とからなり、開閉部材は球排出開口に設備され、遊技球の衝突受動部材への衝突により開閉部材が揺動して球排出開口を一時的に開放するように構成したことを第４の特徴としている。
また本発明の遊技機の入賞装置は、上記第４の特徴に加えて、開閉部材が球排出開口を閉止している状態においては、球受入開口から入賞装置内に入った遊技球は入賞装置を通過して入賞を逃すと共に、その通過の際に衝突受動部材に衝突して球排出開口を一時的に開放するように構成したことを第５の特徴としている。
【０００６】
上記第１の特徴をもつ遊技機の入賞装置によれば、遊技領域を流下してきた遊技球は入賞装置の１乃至複数の開口を通過して入賞検出手段に導かれることで、該入賞検出手段により検出されて入賞とされる。そして開口の少なくとも１つは、開閉部材によってその開閉が行われ、その開閉部材は衝突受動部材が流下してくる遊技球の衝突を受けることで付勢手段に抗して揺動し、開口を一時的に閉止状態から開放状態に或いは開放状態から閉止状態にする。開口が閉止状態にある場合には、遊技球がその開口を通過して行くことができない。よって遊技者は自己の技量を用いて、開口ができるだけ開放状態になるようにしようとする。即ち、開閉部材が付勢手段により開口を閉止するように付勢されている場合は、遊技者は遊技球が衝突受動部材により多く衝突するように工夫することで、開閉部材が開口を開放する回数を多くしようとする。また開閉部材が付勢手段により開口を開放するように付勢されている場合には、遊技球が衝突受動部材にできるだけ衝突しないように工夫することで、開閉部材が開口を閉止しないようにしようとする。
【０００７】
上記第２の特徴をもつ遊技機の入賞装置によれば、上記第１の特徴による作用に加えて、開閉部材と衝突受動部材とは枢軸部を中心に構成されており、コンパクトな構成において、衝突受動部材が遊技球の衝突を受けて動くと、それに呼応して枢軸部を介して開閉部材が速やかに揺動し、よって速やかに開口を開放若しくは閉止する。
【０００８】
上記第３の特徴をもつ遊技機の入賞装置によれば、上記第１又は第２の特徴による作用に加えて、開口を開閉する開閉部材は、その開放状態において、開口の近くを流下してくる遊技球を受けて開口へ導く受球ガイドとなるので、遊技球を受けて開口へガイドする専用の部材を開閉部材とは別に設備する必要がない。
【０００９】
上記第４の特徴をもつ遊技機の入賞装置によれば、上記第１〜第３の何れかの特徴による作用に加えて、遊技盤面を流下する遊技球は入賞装置の球受入開口から入賞装置内に入り、入賞装置内に入った遊技球は球排出開口から入賞検出手段に導かれることで入賞を検出される。開閉部材は球排出開口に設備され、その開閉部材は衝突受動部材が遊技球の衝突を受けることで揺動し、球排出開口を一時的に開放する。球排出開口が開放されている間のみ、球受入開口から入賞装置に入った遊技球は球排出開口より入賞検出手段へ排出されることができ、入賞を検出される。
【００１０】
上記第５の特徴によれば、上記第４の特徴による作用に加えて、球受入開口から入賞装置内に入った遊技球は、球排出開口が閉止されていると、該球排出開口を通って入賞検出手段に達することなく、そのまま入賞装置を通過する。しかし、その通過の際に遊技球は衝突受動部材に衝突し、開閉部材を揺動させる。この揺動により球排出開口が一時的に開放される。よってこの揺動による球排出開口の開放の間に、後続する遊技球が球受入開口から入って球排出開口に達すると、開放された球排出開口から排出されることができ、入賞検出手段によって入賞が検出される。
【発明の効果】
【００１１】
請求項１に記載の遊技機の入賞装置によれば、遊技盤面上に設けられ、遊技領域を流下してくる遊技球を受け入れて入賞検出手段へ導くことで入賞を検出させるようにした遊技機の入賞装置であって、流下してくる遊技球を受け入れて入賞検出手段へ導くための１乃至複数の開口と、該開口の少なくとも１つに対して設備される開閉部材と、該開閉部材を開口の閉止状態若しくは開放状態に付勢する付勢手段と、遊技盤面上を流下してくる遊技球の衝突を受けることで前記開閉部材を前記付勢手段に抗して一時的に揺動させる衝突受動部材とを有し、該衝突受動部材による前記開閉部材の揺動によって前記開口を一時的に閉止状態から開放状態へ若しくは開放状態から閉止状態へ移行させるように構成したので、
遊技盤面上を流下する遊技球が入賞装置を通過して入賞検出手段に導かれて入賞となるためには、遊技者は遊技球が入賞装置のところに流下して行くように工夫すると共に、特に開閉部材によって開閉される開口ができるだけ開放状態になるように衝突受動部材への遊技球の衝突具合を工夫しなければならず、また工夫することにより効率の良い入賞を果たすことが可能となる。
よって請求項１の入賞装置によれば、遊技者をして、遊技中に単調ではなく十分な工夫を行い、また技量を高めることによって、より効率のよい入賞を得ることができるという大きな期待と興味と勝負心を沸かせる面白い遊技機を提供することができる。
【００１２】
また請求項２に記載の遊技機の入賞装置によれば、上記請求項１に記載の構成による効果に加えて、開閉部材と衝突受動部材とは枢軸部を中心に構成され、衝突受動部材が遊技球の衝突を受けることによって開閉部材が枢軸部を中心に揺動することで、開口を一時的に開放若しくは閉止するように構成したので、
開閉部材と衝突受動部材とを枢軸部の周りにコンパクトに構成することができ、また衝突受動部材の動きに即応して速やかに開閉部材を揺動させて、開口の開放、閉止を行うことができる。
【００１３】
また請求項３に記載の遊技機の入賞装置によれば、上記請求項１又は２に記載の構成による効果に加えて、開閉部材は、開放状態において、開口の近くを流下してきた遊技球を受け取って開口内に導く受球ガイドとなるので、
遊技球を受けて開口へガイドする専用の部材を開閉部材とは別に設備することを必要としない。
【００１４】
また請求項４に記載の遊技機の入賞装置によれば、上記請求項１〜３の何れかに記載の構成による効果に加えて、開口は遊技球を入賞装置内に受け入れる球受入開口と入賞装置内に受け入れた遊技球を入賞検出手段へ導くための球排出開口とからなり、開閉部材は球排出開口に設備され、遊技球の衝突受動部材への衝突により開閉部材が揺動して球排出開口を一時的に開放するように構成したので、
遊技球を衝突受動部材に衝突させることで開閉部材を揺動させて球排出開口を一時的に開放することができるので、遊技者は球排出開口を開放させるよう衝突受動部材への遊技球の流下を工夫しながら、球排出開口が開放している間に後続の遊技球が球受入開口に入って球排出開口へ達するように、その工夫と技量を高めることで効率の良い入賞を果たすことができる。
よって請求項４の入賞装置によれば、遊技者をして、工夫次第でいい結果を生むという期待と技量の向上心を抱かせ、飽きのこない面白い遊技機を提供することができる。
【００１５】
また請求項５に記載の遊技機の入賞装置によれば、上記請求項４に記載の構成による効果に加えて、開閉部材が球排出開口を閉止している状態においては、球受入開口から入賞装置内に入った遊技球は入賞装置を通過して入賞を逃すと共に、その通過の際に衝突受動部材に衝突して球排出開口を一時的に開放するように構成したので、
遊技者は、遊技球を２球連続的に球受入開口から入賞装置に入れるよう自己の技量と工夫を高めることで、先の遊技球で球排出開口の開閉部材を開放し、後の遊技球で球排出開口から入賞検出手段に到達させて、効率の良い入賞を果たすことが可能となる。
請求項５の入賞装置によれば、遊技者をして、工夫、努力次第で効率のよい入賞を果たすことできる期待のもてる面白い遊技機を提供することができる。
【発明を実施するための最良の形態】
【００１６】
以下の図面を参照して、本発明の実施形態を詳細に説明する。
図１は本発明に係る遊技機としてのパチンコ遊技機の遊技盤の正面図、図２は本発明の実施形態である遊技機の入賞装置の斜視図、図３は同入賞装置の分解斜視図、図４の（Ａ）、（Ｂ）は入賞装置の動作を説明する図である。
【００１７】
先ず図１を参照して、パチンコ遊技機の遊技盤１には、その盤面に略円形の領域からなる遊技領域２が設けられており、遊技領域２の盤面には図柄表示部３ａを備えたセンターケース３、遊技球が通過するゲート４、本発明に係る入賞装置５、その他の入賞装置６、大入賞装置７、アウト口８、風車９、図視しない釘等の遊技要素が設けられている。図示しない発射手段によって発射された遊技球はガイドレール１０に沿って遊技領域２に打ち込まれ、遊技領域２内をその上部から下方へと遊技盤１面上を流下し、入賞装置５、６、７に入賞し、入賞を逃した遊技球はアウト口８に入る。入賞装置５、６、７に入賞すると、報償として所定の遊技球等の払い出しを受けることができる。
【００１８】
図２、図３も参照して、本発明に係る入賞装置５は、遊技盤１面上に設けられ、遊技領域２を流下してくる遊技球を受け入れて、これを遊技盤１の背面側にある図示しない入賞検出センサへ導くことで、入賞を検出させる。
入賞装置５は、遊技盤１の盤面に対して取り付けられる取付基板５１と、該取付基板５１に対して取り付けられる本体ケース５２と、開閉部材５３と、衝突受動部材５４と、付勢手段としてのバランス錘部５５と、枢軸部５６とを有する。
【００１９】
前記取付基板５１は、遊技盤１の表面にネジ等で取り付けられる。５１１はネジ固定用のネジ穴である。また取付基板５１には、入賞装置５内に受け入れた遊技球を遊技盤１の背面側へ排出する球排出開口５１２が設けられている。また取付基板５１には前記枢軸部５６を軸受けする一対の軸受穴５１３、５１３と、前記本体ケース５２との結合用の一対差込穴５１４、５１４が設けられている。前記球排出開口５１２から遊技盤１の背面に排出された遊技球は入賞検出手段によって入賞が検出される。
【００２０】
前記本体ケース５２は、前記取付基板５１の球排出開口５１２の前方を囲うと共に、上下方向に開放した形の断面コ型状に形成されており、その側壁の基端に取付基板５１の差込穴５１４に差し込まれて結合される一対の差込部５２１、５２１が設けられている。また本体ケース５２の上の開口は入賞装置５への球受入開口５２２とされ、本体ケース５２の下の開口は球通過口５２３とされる。
【００２１】
前記開閉部材５３と衝突受動部材５４とバランス錘部５５と枢軸部５６とは全体として一体物として構成されており、全体が枢軸部５６によって前記球排出開口５１２の下縁付近の両側で軸受穴５１３により軸受けされて回動自在に取り付けられている。そして開閉部材５３と衝突受動部材５４とバランス錘部５５とは、枢軸部５６を中心として相互に円周方向に角度をもって離れて配置されている。
前記開閉部材５３は、本実施形態では取付基板５１の球排出開口５１２を開閉する部材として機能し、バランス錘部５５により枢軸部５６の周りに付勢されて球排出開口５１２を常時閉止状態に保持する。
【００２２】
前記衝突受動部材５４は、前記開閉部材５３が球排出開口５１２を閉止している状態において、開閉部材５３とほぼ直角の角度にあり、枢軸部５６から前記球通過口５２３に出っ張った状態に配置される。
一方、前記バランス錘部５５は開閉部材５３の付勢手段として、常時、球排出開口５１２を閉止状態に付勢する機能を果たす。このためバランス錘部５５は、常に枢軸部５６から球排出開口５１２よりも後方へ傾くように設けている。なおバランス錘部５５を２つに分離して設けているのは、遊技球が球排出開口５１２へ入る際に邪魔にならないように且つ付勢のための必要な重さを確保するためである。
バランス錘部５５は開閉部材５３を付勢する手段であるから、バネ等の弾性部材やその他の付勢手段で代用することができる。
【００２３】
次に図４も参照して、入賞装置５の動作を説明する。
今、開閉部材５３がバランス錘部５５の付勢によって、その安定位置として球排出開口５１２を閉止状態にしている場合、即ち図４の（Ａ）に示すような状態にある場合においては、一対のゲート釘１１、１１間を通ってきた遊技球Ｂ１は、球受入開口５２２から入賞装置５内に入ることができるが、球排出開口５１２から背面側に排出されて入賞を検出されることはなく、下方の球通過口５２３を通過し、そのまま入賞装置５外に流下してしまう。その一方、遊技球Ｂ１が球通過口５２３を通過する際には衝突受動部材５４に衝突し、バランス錘部５５の付勢力に抗して衝突受動部材５４を下方に押し下げる。これによって開閉部材５３が球排出開口５１２を一時的に開放する（図４の（Ｂ））。この開放期間はバランス錘部５５による付勢力の程度に依存することになる。
【００２４】
前記開閉部材５３が球排出開口５１２を開放している状態においては、開閉部材５３は球受入開口５２２から入ってきた遊技球Ｂ２を受け取って球排出開口５１２へ導く球受ガイドとなる。従って開閉部材５３が開放状態にある間に後続する遊技球Ｂ２が球受入開口５２２から入ってくると、開閉部材５３によって受け取られ、球排出開口５１２に導かれて遊技盤１の背面側に排出され、入賞検出手段によって入賞が検出される。
前記開閉部材５３が付勢力に抗して球排出開口５１２を開放している期間は、付勢力の程度にもよるが、比較的短いので、後続の遊技球Ｂ２が首尾よく入賞を果たすためには、先の遊技球Ｂ１に対して短い時間間隔で連続的に球受入開口５２２に入れる必要がある。従って遊技者の技量と工夫が求められ、またそれによって効率のよい入賞が可能となる。
【００２５】
上記において入賞装置５は、要するに遊技球の入賞を検出する入賞検出手段の手前に配置され、遊技盤１面を流下する遊技球Ｂを受け入れて、遊技盤１背面の入賞検出手段に導くための装置を言うものとする。
また上記の実施形態においては、入賞装置５には球受入開口５２２と球排出開口５１２とを設け、球排出開口５１２を安定状態で閉止する開閉部材５３を設けたが、開閉部材として前記球排出開口５１２を安定状態で開放し、遊技球Ｂが衝突受動部材５４に衝突することで開閉部材が一時的に球排出開口５１２を閉止する構成とすることも可能である。
また本実施形態では開閉部材５３を球排出開口５１２に設けたが、代わりに開閉部材を球受入開口５２２に設けて、遊技球Ｂが衝突受動部材に衝突することで、開閉部材が一時的に球受入開口５２２を開放或いは閉止するような構成とすることも可能である。この場合、球排出開口５１２は開放状態とし、球通過口５２３は閉止状態とすることになる。
また球受入開口５２２及び球排出開口５１２は、何れも入賞装置５においては開口としてとらえることができるが、開口を前記球受入開口５２２や球排出開口５１２の他に設けて、それら何れかの開口に開閉部材を設け、この開口が一時的に開放或いは閉止するような構成にしてもよい。以上のような構成も本発明の範囲内である。
【００２６】
上記の実施形態では、開閉部材５３と衝突受動部材５４とバランス錘部５５とが一体に形成されているが、それぞれの機能を果たす限りにおいて、それらが互いに一体となっている必要はない。
また本実施形態においては、衝突受動部材５４の動きと開閉部材５３の動きが１対１対応して即動するようにしているが、場合によっては衝突受動部材５４の動きと開閉部材５３の動きに時間的ズレをもたらし、或いは動きそのものが異なる動きとなるように構成することもできる。このような構成も本発明の範囲内である。
【図面の簡単な説明】
【００２７】
【図１】本発明に係る遊技機としてのパチンコ遊技機の遊技盤の正面図である。
【図２】本発明の実施形態である遊技機の入賞装置の斜視図である。
【図３】本発明に係る遊技機の入賞装置の分解斜視図である。
【図４】本発明に係る遊技機の入賞装置の動作を説明する断面図で、（Ａ）は開閉部材が球排出開口を閉止した安定状態を示し、（Ｂ）は開閉部材が球排出開口を一時的に開放した状態を示す。
【符号の説明】
【００２８】
１      遊技盤
２      遊技領域
３      センターケース
５      本発明に係る入賞装置
６      その他の入賞装置
７      大入賞装置
８      アウト口
１０    ガイドレール
１１    ゲート釘
５１    取付基板
５２    本体ケース
５３    開閉部材
５４    衝突受動部材
５５    バランス錘部
５６    枢軸部
５１１  ネジ穴
５１２  球排出開口
５１３  軸受穴
５１４  差込穴
５２１  差込部
５２２  球受入開口
５２３  球通過口
Ｂ      遊技球
【図１】
2006006624.tif 000003
【図２】
2006006624.tif 000004
【図３】
2006006624.tif 000005
【図４】
2006006624.tif 000006